(57)【特許請求の範囲】
【請求項１】
駆動回転されて長尺状の感光材料を巻き取り得る巻心と、
前記巻心の外周面に沿って変形し得る長尺状の材料で形成され且つ、前記巻心に巻き掛けられた状態で前記巻心の外周面との間に感光材料の案内経路を形成するガイド材と、
基端側廻りに回動可能とされ且つ感光材料の前記巻心への巻き付け時に回動されると共に、感光材料及び前記ガイド材を基端側から先端側に沿って案内するガイドアームと、
前記ガイドアームの先端側に回転可能に支持され且つ前記ガイドアームの回動に伴って前記巻心に当接し得るローラと、
前記ガイドアームに開閉可能に取り付けられ、閉止して前記感光材料を案内する通路を形成し、ガイドアームが回動する際に感光材料の張力で開放してガイドアームから感光材料を分離する開閉部材と、
駆動回転して前記ガイド材を巻き戻し及び送り出し可能に収納し且つ、前記ガイド材を送り出すことで前記ガイド材を前記巻心に巻き掛けるように伸ばすガイド材収納部と、
を有することを特徴とする巻き付け装置。
【発明の詳細な説明】
【０００１】
【産業上の利用分野】
本発明は、感光材料を巻き取る巻心に感光材料の先端部を巻き付ける巻き付け装置に関する。
【０００２】
【従来の技術】
例えば感光材料であるネガフィルムの各駒の画像濃度を計測し、適切な露光条件を決める検定作業をする場合、予め５０本程度のネガフィルムを繋いで１本とされたネガフィルムの先端を、検定装置に通過させた後、巻取軸の巻心に巻き付ける必要がある。
【０００３】
この場合、従来は作業者の手作業で巻心に巻き付けていたので、巻心に巻き付けるための作業性が悪かった。
【０００４】
また、自動的に巻き付け作業を行う例えば、図７及び図８に示すような巻き付け装置が知られている。
【０００５】
この巻き付け装置は、巻心１１８の周りに配置された４本のアーム１１２の先端側にそれぞれローラ１１４が支持されると共にネガフィルムＮを案内するガイド１１６が取り付けられたものである。
【０００６】
ネガフィルムＮの先端を巻取軸の巻心１１８に巻き付ける際には、先ず図７に示すような状態から、図８に示すように、それぞれのローラ１１４が巻心１１８に接するようにアーム１１２が回動されると共に、ガイド１１６が回動してガイド１１６の先端が巻心１１８の近傍に位置するようにされる。そして、この状態でネガフィルムＮが送り出されて、巻心１１８に巻き付けられるようになっている。
【０００７】
この巻き付け終了後において、ネガフィルムＮは順次巻心１１８に巻き取られていき、巻径の変化に応じて、ローラ１１４及びガイド１１６が外側に移動することになる。
【０００８】
【発明が解決しようとする課題】
しかし、検定作業終了後において、巻心１１８廻りにロール状となったネガフィルムＮを取り外す必要があるが、この巻き付け装置では、ネガフィルムＮの取り外し時にローラ１１４及びガイド１１６が邪魔となり、操作性が悪いという欠点を有する。
【０００９】
さらに、４本のアーム１１２、４個のローラ１１４及びガイド１１６が個々にあるため、ネガフィルムＮの巻径が大きくなると、これら４本のアーム１１２、４個のローラ１１４及びガイド１１６が有る分だけ、より大きなスペースが装置に必要となり、装置の大型化に繋がるという欠点を有する。
【００１０】
また、ローラ１１４を支持するアーム１１２及びガイド１１６を個々に作動する為の機構が必要となり、機構が複雑となると共に、部品点数が増大するという欠点を有する。
【００１１】
本発明は、上記事情に鑑み、簡易な機構で感光材料を巻き取る巻心に感光材料の先端を巻き付けると共に、感光材料の先端を巻き付ける為のガイド材をコンパクトに収納して、ロール状となった感光材料を取り外す際の操作性を向上し得る巻き付け装置を提供することを目的とする。
【００１２】
【課題を解決するための手段】
請求項１に記載の巻き付け装置は、駆動回転されて長尺状の感光材料を巻き取り得る巻心と、前記巻心の外周面に沿って変形し得る長尺状の材料で形成され且つ、前記巻心に巻き掛けられた状態で前記巻心の外周面との間に感光材料の案内経路を形成するガイド材と、基端側廻りに回動可能とされ且つ感光材料の前記巻心への巻き付け時に回動されると共に、感光材料及び前記ガイド材を基端側から先端側に沿って案内するガイドアームと、前記ガイドアームの先端側に回転可能に支持され且つ前記ガイドアームの回動に伴って前記巻心に当接し得るローラと、
前記ガイドアームに開閉可能に取り付けられ、閉止して前記感光材料を案内する通路を形成し、ガイドアームが回動する際に感光材料の張力で開放してガイドアームから感光材料を分離する開閉部材と、駆動回転して前記ガイド材を巻き戻し及び送り出し可能に収納し且つ、前記ガイド材を送り出すことで前記ガイド材を前記巻心に巻き掛けるように伸ばすガイド材収納部と、を有することを特徴とする。
【００１４】
【作用】
請求項１に係る巻き付け装置の作用を以下に説明する。
【００１５】
長尺状の感光材料を巻心に巻き取る際には、まず、基端側廻りに回動可能とされたガイドアームが回動して、巻心に先端側で接触する。さらに、ガイド材収納部がガイド材を送り出すことにより、ガイドアームに案内されて伸び、このガイド材の先端部に設けられたローラが巻心の外周面に当接し、ガイド材が巻心の外周面に沿って変形しつつ巻心の廻りに巻き掛けられる。このように巻心にガイド材が巻き掛けられると、巻心の外周面とガイド材との間に、感光材料の案内経路が形成されることになる。
【００１６】
この後、巻心を回転した状態で感光材料を巻心側に送り込むと、ガイドアームに案内されて巻心の外周面とガイド材との間の案内経路に送り込まれる。そして、巻心の１回転以上わたって感光材料が巻き付けられると、あとは巻心を回転するだけで自然に巻心に感光材料が巻き取られることになる。
【００１７】
このように感光材料が巻き取られ始めたら、ガイド材収納部側にガイド材を巻き戻してから、ガイドアームを回動して、ガイドアームを巻心から引き離すようにする。
【００１８】
従って、１本のガイドアームにより案内されるガイド材が巻心の外周面に沿って変形しつつ巻心の廻りに巻き掛けられるという簡易な機構により、感光材料の先端を巻心に巻き付け可能とするので、部品点数が増大することもない。また、１本のガイドアームで１本のガイド材を案内する機構なので、これらの部材の為に大きなスペースが装置に必要となることがなく、装置が大型化することがない。
【００１９】
さらに、ガイド材収納部側にガイド材を巻き戻して、コンパクトに収納するので、ロール状となった感光材料を取り外す時にガイド材が邪魔となることがなく、操作性が向上する。
【００２０】
さらに、ガイドアームの先端側に回転可能に支持されるローラがガイドアームの回動に伴って巻心に当接すると共に、ガイドアームに開閉可能に取り付けられる開閉部材が閉止して感光材料を案内する通路を形成するので、巻心が回転される際のガイドアームとの摩擦が低減されて、巻心に傷が付いたりする虞がない。また、巻心に感光材料が巻き付けられた後は、ガイドアームを回動する際に、開閉部材を感光材料の張力で開放してガイドアームから感光材料が簡易に分離される。
【００２１】
【実施例】
本発明に係る巻き付け装置の一実施例を図１から図６に示し、これらの図に基づき本実施例を説明する。
【００２２】
図１に示すように、本実施例の巻き付け装置１０は、巻き取り軸の巻心にネガフィルムＮの巻き付け用として、検定装置１２に採用されている。
【００２３】
この検定装置１２は、ネガフィルム送り出し用であってフランジ１４Ａが取り付けられた巻心１４を回転可能に支持しており、この巻心１４に、予め５０本のネガフィルムＮを連結して長尺状にされたネガフィルムＮが、巻き付けられている。そして、このネガフィルムＮの先端側には、リーダテープＬが取り付けられている。
【００２４】
ネガフィルムＮの各駒の画像濃度を計測する検定部１６と、この巻心１４との間には、複数の駆動回転可能な搬送ローラ１８がそれぞれ配置されており、これら搬送ローラ１８によりネガフィルムＮの搬送経路が形成されている。
【００２５】
検定部１６に対して搬送方向下流側であって巻心１４に隣り合った位置には、図示しないモータに連結されると共にフランジ２０Ａが取り付けられた巻き取り軸としての巻心２０が配置されており、この検定部１６と巻心２０との間に複数の駆動回転可能な搬送ローラ２２がそれぞれ配置されている。この為、検定部１６で画像濃度の計測が終了したネガフィルムＮは、これら搬送ローラ２２により搬送されて巻心２０側に送られることになる。
【００２６】
一方、図１及び図２に示すように、巻心２０に隣り合ってガイドアーム２４が、その基端側を回動軸２６廻りに回動可能に支持されて、配置されている。この回動軸２６は図示しないモータに連結されており、ガイドアーム２４の先端側には、細幅に形成されたローラ２８が回転可能に支持されている。
【００２７】
このガイドアーム２４の内部には、図１及び図６に示すように、それぞれ矩形断面とされる第１の通路２４Ａ及び第２の通路２４Ｂが形成されていて、第２の通路２４Ｂは、ヒンジ３０により開閉部材であって第２の通路２４Ｂの一部の壁面を構成する壁部３２が開閉可能とされる構造となっている。
【００２８】
そして、ガイドアーム２４の長手方向中程には、ガイド板３４が取り付けられると共に、最下流の搬送ローラ２２の近傍にも、ガイド板３６が取り付けられていて、図３及び図４に示す状態では、リーダテープＬをこれらガイド板３４及びガイド板３６で案内するようになっている。このガイド板３４とガイド板３６との間を通過したリーダテープＬは第２の通路２４Ｂに導入され、第２の通路２４Ｂに案内されてガイドアーム２４の基端側から先端側に沿って送られることになる。
【００２９】
また、ガイドアーム２４の基端側に隣り合った位置には、円筒形状であって一部に開口３８Ａを有したガイド材収納部である収納部３８が設けられている。この収納部３８内には、図示しないモータに連結された回転軸４０が配置されている。この回転軸４０には、ネガフィルムＮ及びリーダテープＬの幅寸法とほぼ同じ幅寸法を有し且つ、予め巻癖が付けられているガイド材である板ばね４２の基端側が巻き付けられており、この板ばね４２は、ガイドアーム２４内の第１の通路２４Ａ内を通りガイドアーム２４の先端側にまで延びている。そして、板ばね４２の先端部には、回転可能なローラ４４が取り付けられている。
【００３０】
一方、巻心２０、回動軸２６及び回転軸４０とそれぞれ連結される図示しないモータは、例えば制御装置（図示せず）にそれぞれ連結されており、個々に回転可能とされている。
【００３１】
次に、上記実施例の作用を説明する。
長尺状のネガフィルムＮを巻心２０に巻き付ける際には、まず、回動軸２６廻りに回動可能とされたガイドアーム２４がモータにより回動されて、図３に示すように、巻心２０にガイドアーム２４の先端側に支持されたローラ４４を接触させる。さらに、図４に示すように、収納部３８が開口３８Ａより板ばね４２を送り出すことにより、板ばね４２がガイドアーム２４の第１の通路２４Ａに案内されて伸びる。
【００３２】
この際、板ばね４２に予め巻癖が付けられているので、ローラ４４が回転すると共にこの板ばね４２が巻心２０の外周面に沿って変形しつつ巻心２０の廻りに巻き掛けられる。そして、このように巻心２０に板ばね４２が巻き掛けられると、巻心２０の外周面と板ばね４２との間に、ネガフィルムＮの案内経路Ｋが形成される。
【００３３】
この後、巻心２０を回転した状態で、搬送ローラ１８、２２が回転されて、検定部１６を通過したリーダテープＬを巻心２０側に送り込むと、ガイドアーム２４に案内されて巻心２０の外周面と板ばね４２との間の案内経路ＫにリーダテープＬが送り込まれる。巻心２０の１回転以上わたってリーダテープＬが巻き付けられると、この後は巻心２０を回転するだけで自然に巻心２０にリーダテープＬに続くネガフィルムＮが巻き取られることになる。
【００３４】
そして、この巻心２０が回転される際、ガイドアーム２４の先端側にローラ２８が回転可能に配置されているので、巻心２０とガイドアーム２４と間の摩擦が低減されて、巻心２０に傷が付いたりする虞がない。
【００３５】
この後、図３に示す状態と同様となるように、収納部３８側に板ばね４２を巻き戻してから、ガイドアーム２４を回動して、ガイドアーム２４を巻心２０から引き離して、図５に示すような状態にする。そして、このガイドアーム２４を回動する際に、壁部３２がネガフィルムＮの張力で開放されてガイドアーム２４からネガフィルムＮが簡易に分離される。
【００３６】
以上より、１本のガイドアーム２４により案内される板ばね４２が、巻心２０の外周面に沿って変形しつつ巻心２０の廻りに巻き掛けられるという簡易な機構により、ネガフィルムＮの先端に取り付けられたリーダテープＬを巻心２０に巻き付け可能とするので、部品点数が増大することもない。また、１本のガイドアーム２４で１本の板ばね４２を案内する機構なので、これらの部材の為に大きなスペースが装置に必要となることがなく、装置が大型化することがない。
【００３７】
さらに、収納部３８側に板ばね４２を巻き戻して、コンパクトに収納するので、ロール状となったネガフィルムＮを取り外す時等に板ばね４２が邪魔となることがなく、操作性を向上し得る。
【００３８】
尚、上記実施例において、感光材料をネガフィルムとしたが、ネガフィルムの替わりに他の長尺状の印画紙や、感光材料以外の長尺状の材料にも適用できることはいうまでもなく、ネガフィルムの先端側にリーダテープを取り付けないで、直接ネガフィルムの先端を巻心に巻き付けるようにしてもよい。
【００３９】
また、上記実施例において、ガイド材として板ばねを用いたが、巻心の外周面に沿って変形し得るような柔軟性を有するピアノ線等の線状の材料であってもよい。さらに、上記実施例では、検定装置に採用された巻き付け装置として本発明の巻き付け装置を説明したが、検定装置以外の他の装置に採用できることはいうまでもない。
【００４０】
一方、例えば巻心２０にリーダテープＬが巻き付けられた後、収納部３８側に板ばね４２を巻き戻すタイミング等の判断は、巻心２０にトルクを検出するセンサを装着して、このセンサでトルクの変化を検出して制御装置で行うことができるが、これに限定されるものではない。
【００４１】
さらに、上記実施例では、板ばね４２を巻き取る回転軸４０と、ガイドアーム２４を回動する回動軸２６とを別々に設けたが、この替わりにこれらの軸を同軸上に配置してもよい。
【００４２】
【発明の効果】
以上に説明したように、本発明の巻き付け装置では、簡易な機構で感光材料を巻き取る巻心に感光材料の先端が巻き付けられると共に、感光材料の先端を巻き付ける為のガイド材をコンパクトに収納して、ロール状となった感光材料を取り外す際の操作性を向上し得ることができる。
【図面の簡単な説明】
【図１】本発明に係る巻き付け装置の一実施例が採用された検定装置の概略平面図である。
【図２】本発明に係る巻き付け装置の一実施例の拡大平面図であって、ガイドアームが退避した状態を示す図である。
【図３】本発明に係る巻き付け装置の一実施例の拡大平面図であって、ガイドアームが巻心側に回動された状態を示す図である。
【図４】本発明に係る巻き付け装置の一実施例の拡大平面図であって、板ばねが巻心に巻き掛けられた状態を示す図である。
【図５】本発明に係る巻き付け装置の一実施例の拡大平面図であって、ネガフイルムの巻き付けが終了した状態を示す図である。
【図６】図４の６−６矢視線断面図である。
【図７】従来の巻き付け装置の平面図であって、巻き付け作業開始前の状態を示す図である。
【図８】従来の巻き付け装置の平面図であって、巻き付け作業中の状態を示す図である。
【符号の説明】
１０  巻き付け装置
２０  巻心
２４  ガイドアーム
２８  ローラ
３２  壁部（開閉部材）
３８  収納部（ガイド材収納部）
４２  板ばね（ガイド材）
Ｎ  ネガフィルム（感光材料）
【図１】
0003744957.tif 000002
【図２】
0003744957.tif 000003
【図３】
0003744957.tif 000004
【図４】
0003744957.tif 000005
【図５】
0003744957.tif 000006
【図６】
0003744957.tif 000007
【図７】
0003744957.tif 000008
【図８】
0003744957.tif 000009